【事件の表示】
　特許第３２６１４４８号「多極コネクター」の請求項１ないし３に係る特許に対する特許異議の申立てについて、次のとおり決定する。
【結　論】
　訂正を認める。
　特許第３２６１４４８号の請求項１ないし２に係る特許を取り消す。
【理　由】
１．手続の経緯
　本件特許第３２６１４４８号の発明についての出願は、平成９年６月２日に出願され、平成１３年１２月２１日にその発明についての特許権の設定登録がなされ、その後、林英一により特許異議の申立てがなされ、平成１５年３月１８日付けで当審による取消しの理由が通知され、その指定期間内である平成１５年６月３日に訂正請求（以下、「先の訂正請求」という。）がなされ、これに対して、平成１５年８月１４日付けで当審による取消しの理由（以下、「当審が通知した取消理由」という。）が再度通知され、その指定期間内である平成１５年１０月２７日に訂正請求がなされたものである。
　なお、先の訂正請求は、平成１５年１０月２７日に取り下げられた。
　
２．訂正の適否
（１）訂正の内容
　平成１５年１０月２７日付け訂正請求書による訂正請求（以下、「本件訂正」という。）の訂正の内容は、次のとおりである。
（イ）訂正事項ａ
　願書に添付された明細書及び図面（以下、「特許明細書」という。）の特許請求の範囲の請求項１を、
「【請求項１】
　導体材料からなり相手側内周コンタクト又は相手側外周コンタクトに接触するそれぞれ複数の内周コンタクト及び外周コンタクトと、絶縁材料からなり前記内周コンタクト及び前記外周コンタクトを固定したハウジングとを備え、前記ハウジング
は全体が筒状に成形されてその略中心に、接触部を絶縁部を挟んで軸方向に並列して配置した形でピン状に形成された前記相手側内周コンタクトが挿入される貫通孔を有するとともに先端側の比較的小さな外形寸法で外周面が略円形の断面形状の先方突出部と基端側の比較的大きな外形寸法の外方張出部とが一体成形され
ハウジング
先方突出部
してなる
　前記外方張出部には、複数の外周コンタクト固定部が先方へ開口した孔状又は溝状に設けられ、複数の前記外周コンタクトが、それぞれ前記外周コンタクト固定部に嵌入されて前記接触部を前記外方張出部から先方へ突出させた形で備えられ、複数の前記外周コンタクトの前記
各
前記先方突出部の外周面よりも梢外方に突出するとともに、該
、前記先方突出部の前端外周に極性ガイド部を外周面及び前面に開口した凹状に設け
（ロ）訂正事項ｂ
　特許明細書の特許請求の範囲の請求項２を、
「【請求項２】
　
内周コンタクトは、標準仕様機器に使用される標準信号を伝達し、外周コンタクトは、特別仕様機器に使用される特別信号を伝達する
（ハ）訂正事項ｃ
　特許明細書の特許請求の範囲の請求項３を削除する。
（ニ）訂正事項ｄ
　特許明細書の発明の詳細な説明欄中の段落【０００５】を、
「【０００５】
【課題を解決するための手段】
　上述の如き従来の問題を解決し、所期の目的を達成する本発明の特徴は、導体材料からなり相手側内周コンタクト又は相手側外周コンタクトに接触するそれぞれ複数の内周コンタクト及び外周コンタクトと、絶縁材料からなり前記内周コンタクト及び前記外周コンタクトを固定したハウジングとを備え、前記ハウジング
は全体が筒状に成形されてその略中心に、接触部を絶縁部を挟んで軸方向に並列して配置した形でピン状に形成された前記相手側内周コンタクトが挿入される貫通孔を有するとともに先端側の比較的小さな外形寸法で外周面が略円形の断面形状の先方突出部と基端側の比較的大きな外形寸法の外方張出部とが一体成形され
ハウジング
先方突出部
してなる
各
前記先方突出部の外周面よりも梢外方に突出するとともに、該
、前記先方突出部の前端外周に極性ガイド部を外周面及び前面に開口した凹状に設け
（ホ）訂正事項ｅ
　特許明細書の発明の詳細な説明欄中の段落【０００６】を、
「【０００６】
　な
お、内
　
（２）訂正の目的の適否、新規事項の有無及び特許請求の範囲の拡張・変更の存否
（イ）訂正事項ａについて
　上記訂正事項ａにおける「前記ハウジング
は全体が筒状に成形されてその略中心に、接触部を絶縁部を挟んで軸方向に並列して配置した形でピン状に形成された前記相手側内周コンタクトが挿入される貫通孔を有するとともに先端側の比較的小さな外形寸法で外周面が略円形の断面形状の先方突出部と基端側の比較的大きな外形寸法の外方張出部とが一体成形され
ハウジング
先方突出部
してなる
は全体が筒状に成形され」「るとともに先端側の比較的小さな外形寸法で外周面が略円形の断面形状の先方突出部と基端側の比較的大きな外形寸法の外方張出部とが一体成形され
ハウジング
先方突出部
してなる
各
前記先方突出部の外周面よりも梢外方に突出するとともに、該
　なお、上記「複数の前記外周コンタクトの前記
各
前記先方突出部の外周面よりも梢外方に突出するとともに、該
　また、上記「前記ハウジング
は全体が筒状に成形されてその略中心に、接触部を絶縁部を挟んで軸方向に並列して配置した形でピン状に形成された前記相手側内周コンタクトが挿入される貫通孔を有するとともに先端側の比較的小さな外形寸法で外周面が略円形の断面形状の先方突出部と基端側の比較的大きな外形寸法の外方張出部とが一体成形され
ハウジング
先方突出部
してなる
その略中心に、接触部を絶縁部を挟んで軸方向に並列して配置した形でピン状に形成された前記相手側内周コンタクトが挿入される貫通孔を有する
前記先方突出部の前端外周に極性ガイド部を外周面及び前面に開口した凹状に設け
　そして、上記各訂正内容は、特許明細書の段落【０００４】に記載された「本発明は、このような従来の問題に鑑み、内周コンタクトに加えて、複数の外周コンタクトが備えられ、かつ、ハウジングが最小化された多極コネクターの提供を目的としたものである」という発明が解決しようとする課題を実質的に変更するものでないことが明らかであるから、特許請求の範囲を実質的に拡張又は変更するものでもない。
（ロ）訂正事項ｂ及びｃについて
　上記訂正事項ｂ及びｃが、特許請求の範囲を減縮を目的とする訂正であって、特許明細書に記載されていた事項の範囲内の事項であり、特許請求の範囲を実質的に拡張又は変更するものでもないことは明らかである。
（ハ）訂正事項ｄ及びｅについて
　発明の詳細な説明の記載に関する上記訂正事項ｄ及びｅは、特許請求の範囲の訂正である上記訂正事項ａ〜ｃに合わせて、特許請求の範囲の記載と発明の詳細な説明の記載との整合を図るものであって、明りょうでない記載の釈明を目的とするものであり、また、訂正事項ａ〜ｃにつき上述したのと同様に、いずれも特許明細書に記載されていた事項の範囲内の事項であって、特許請求の範囲を実質的に拡張又は変更するものでもない。
　
（３）まとめ
　以上検討したとおり、本件訂正は、特許法第１２０条の４第２項並びに同条第３項において準用する同法第１２６条第２項及び第３項の規定に適合するものであるから、本件訂正を認める。
　
３．特許異議の申立ての概要
（１）特許異議申立人は、次の甲第１〜４号証を提出し、請求項１〜３に係る発明は、甲第１〜４号証に記載された発明に基づいて当業者が容易に発明することができたものであるから、請求項１〜３に係る発明の特許は、特許法第２９条第２項の規定に違反してなされたものであるから取り消すべき旨主張している。
甲第１号証：特開平８−１３８８０７号公報
甲第２号証：特開平４−１１８８７９号公報
甲第３号証：特開昭６１−２６４６９３号公報
甲第４号証：特開平２−３００７６号公報
 
４．本件発明
　上記２．のとおり、本件訂正は認められるので、本件発明は、訂正明細書の特許請求の範囲の請求項１〜２に記載された事項により特定される次のとおりのもの（以下順に、「本件発明１」〜「本件発明２」という。）である。
（１）本件発明１
「導体材料からなり相手側内周コンタクト又は相手側外周コンタクトに接触するそれぞれ複数の内周コンタクト及び外周コンタクトと、絶縁材料からなり前記内周コンタクト及び前記外周コンタクトを固定したハウジングとを備え、前記ハウジング
は全体が筒状に成形されてその略中心に、接触部を絶縁部を挟んで軸方向に並列して配置した形でピン状に形成された前記相手側内周コンタクトが挿入される貫通孔を有するとともに先端側の比較的小さな外形寸法で外周面が略円形の断面形状の先方突出部と基端側の比較的大きな外形寸法の外方張出部とが一体成形され
ハウジング
先方突出部
してなる
　前記外方張出部には、複数の外周コンタクト固定部が先方へ開口した孔状又は溝状に設けられ、複数の前記外周コンタクトが、それぞれ前記外周コンタクト固定部に嵌入されて前記接触部を前記外方張出部から先方へ突出させた形で備えられ、複数の前記外周コンタクトの前記
各
前記先方突出部の外周面よりも稍外方に突出するとともに、該
、前記先方突出部の前端外周に極性ガイド部を外周面及び前面に開口した凹状に設け
（なお、上記２．（２）の（イ）で説示したように、訂正明細書の請求項１に記載された「梢外方に」は「稍外方に」の誤記であると認め、上記のように認定した。）
（２）本件発明２
「
内周コンタクトは、標準仕様機器に使用される標準信号を伝達し、外周コンタクトは、特別仕様機器に使用される特別信号を伝達する
　
５．引用刊行物
（１）刊行物１：特開平８−１３８８０７号公報（異議申立の甲第１号証である。）
　当審が通知した取消理由に引用した刊行物１には、図面の図１〜４９とともに、次の事項が記載されている。
（イ）「【産業上の利用分野】　本発明は、各種電子機器の接続に使用する６極ジャック・プラグに関する。」（公報第２頁第１欄段落【0001】参照）
（ロ）「【課題を解決するための手段】　上記課題を解決するため、本発明に係る６極ジャック・プラグは、チップバネと、リングバネと、第１のスリーブバネと、第２のスリーブバネとをそれらの各接点をプラグ挿入穴に向けて配置すると共に、第１の接触バネと第２の接触バネとを夫々の接点を外向きにしてハウジングの外側に配置して構成した６極ジャックと、チップと、第１の中リングと、第２の中リングと、スリーブとを夫々の間に絶縁カラーを挟んで一体成形した４極プラグと、この４極プラグに鍔状に嵌め込んだ円筒状絶縁体の内面に第１の接点リングおよび第２の接点リングを配置して形成した２極のホルダーとからなる６極単頭プラグとからなる。
　上記６極ジャックは、上記チップバネと、上記リングバネと、上記第１のスリーブバネとをハウジングの後部から組み込み、上記第１、第２の接触バネを上記ハウジングの前部から組み込み、上記第２のスリーブバネを上記ハウジングの上から組み込んで構成される。」（公報第３頁第３欄段落【0013】〜【0014】参照）
（ハ）「 図１〜図３において、６極ジャックにおいては、後述する６極単頭プラグを挿入するために、筒型形状に形成されたハウジングの前部に設けられたスリーブ１から後部まで貫通するプラグ挿入穴内に、第１のスリーブバネとしてのスリーブバネ２と、第２のスリーブバネとしてのスリーブバネ３と、リングバネ４と、チップバネ５との各接点部が突き出した構造となっている。
　これらのバネの内、スリーブバネ２、リングバネ４、チップバネ５は、ハウジングの後方から組み込まれており、スリーブバネ３は、後述するようにハウジングの上側から被せて吸着により組み込まれている。
　又、ハウジングの外側には、第１の接触バネとしての接触バネ６と、第２の接触バネとしての接触バネ７とが、夫々の接点部を外向きにして取り付けられている。これらの接触バネ６、７の構造については後で詳述する。
　スリーブバネ２、スリーブバネ３、リングバネ４、チップバネ５、接触バネ６、接触バネ７の各接続用端子は、ハウジングの外側に引き出され、図示していないが所定のプリント基板に設けられた接続部に接続されるようになっている。」（公報第３頁第３欄段落【0022】〜第４欄段落【0025】参照）
（ニ）「 ＜６極ジャックの組み立てについて＞
　上記６極ジャックを組み立てるには、先ず、ハウジングの後方からスリーブバネ２、リングバネ４、チップバネ５を組み込み、次に、ハウジングの前方から接触バネ６、接触バネ７を組み込み、最後に、スリーブバネ３をハウジングの上側から取り付ける。」（公報第４頁第５欄段落【0038】参照）
（ホ）図面の図１〜図４に示された６極ジャックの構成、並びに図６〜図９に示された第２のスリーブバネの構造、図１０〜図１２に示された第１の接触バネの構造及び図１３〜図１５に示された第２の接触バネの構造を参酌すると、刊行物１には、６極ジャックの構造に関して、次のことが図示されているといえる。
「ハウジングの前部に設けられたスリーブ１は、その外周面が略円形の断面形状で構成されているが、同ハウジングのスリーブ１より後方の部分は略直方体状に構成されており、また、ハウジングの外側に取り付けられる第１の接触バネ６及び第２の接触バネ７の各接点１４、１７を有する部分は扁平に形成されているとともに、特に図２と図３を見ると、当該接触バネ６、７のハウジングへの固定位置はハウジングの後方の部分であって当該接触バネ６、７の各接点１４、１７は上記固定位置より前方のスリーブ１の外周上に配置されており、さらに、特に図１と図３を見ると、第１のスリーブバネ２、チップバネ５の固定位置と第１の接触バネ６、第２の接触バネ７の固定位置との相互の配置関係は、上記挿入穴の径方向へ並列配置されている関係にある。」
（ヘ）図面の図１６及び図１７には、異なる直径で示された第１及び第２の接点リング２９、３０をホルダー２６部分に備えた「６極単頭プラグ」の構成が示されている。
　上記（イ）〜（ニ）の記載事項、並びに図面に示された内容を総合すると、刊行物１には、次の発明（以下、「引用発明１」という。）が記載されているものと認める。
（引用発明１）
「それらの各接点をプラグ挿入穴に向けて配置されたチップバネ５、リングバネ４、第１のスリーブバネ２及び第２のスリーブバネ３と、夫々の接点を外向きにしてその外側に配置した第１の接触バネ６、第２の接触バネ７とを有するハウジングを備え、上記ハウジングは、６極単頭プラグを挿入するために筒型形状に形成され、その前部に設けられたスリーブ１からその後部まで貫通するプラグ挿入穴を有するともに、上記前部のスリーブ１はその外周面が略円形の断面形状に、また、ハウジングのスリーブ１より後方の部分は略直方体状に構成され、上記第１及び第２接触バネ６、７の各接点１４、１７がスリーブ１側に配置された６極ジャックであって、
　上記第１及び第２接触バネ６、７のハウジングへの固定位置はハウジングの後方の部分であり、第１及び第２の接触バネ６、７の各接点１４、１７を有する部分は扁平に形成されており、さらに、その各接点１４、１７がスリーブ１の外周上に配置されるとともに、第１のスリーブバネ２、チップバネ５の固定位置と第１の接触バネ６、第２の接触バネ７の固定位置との相互の配置関係は、上記挿入穴の径方向へ並列配置された態様に構成されている６極ジャック。」
　
（２）刊行物２：特開平４−１１８８７９号公報（異議申立の甲第２号証である。）
　また、当審が通知した取消理由に引用した刊行物２には、次の事項が記載されている。
（イ）「本発明は、テープレコーダやラジオ受信機等に使用するヘッドホン用の接続プラグと接続ジャックからなる接続装置に関するものである。」（公報第１頁右下欄第８〜１０行目）
（ロ）「接続ジャック３には音声信号用のバネ性を有する接点１１ａ，１１ｂ，１１ｃとそれらの接点とは別に制御信号用第１の接続部分としての口金２、また第３の接続部分としてのバネ性を有するサイド端子６が一体形成されている。」（公報第２頁左下欄第１７行〜右下欄第１行目）
（ハ）図面の第１図には、接続プラグ４の挿入方向の前方には円筒状の口金２が配置され、また、当該口金２の後方には、当該口金２よりも相対的に大きな外形寸法の略直方体状の接続ジャック３が配置されている形態が示されており、また、その第２図には、上記音声信号用のバネ性を有する接点１１ａ，１１ｂ，１１ｃを接続ジャック３の内側へ配置し、上記制御信号用第１の接続部分としての口金２及び第３の接続部分としてのバネ性を有するサイド端子６の各接点部を、当該口金２の外周又は外方へそれぞれ配置した態様が示されている。
　
（３）刊行物３：特開昭６１−２６４６９３号公報（異議申立の甲第３号証である。）
　また、当審が通知した取消理由に引用した刊行物３には、次の事項が記載されている。
（イ）「本発明は弱電機器に用いるピンジャックの製造方法に関する。」（公報第１頁左下欄第３〜４行目）
（ロ）「第１図は本発明の一実施例に係るピンジャックの一部切欠側面図、…（中略）…これらの図において、１０は絶縁材としての合成樹脂からなるボディであり、電気機器本体等に取りつけられる矩形（第３図参照）の取付部１１と、これより前方に突出する横断面円形の接続部１２とから構成されている。ボディ１０には接続部１２の中央部を貫通するプラグ接続孔１３が、また接続部１２の外周面１５には凹部１６がそれぞれ形成されている。」（公報第２頁右上欄第１９行〜左下欄第８行目）
（ハ）「第１図において、３０は導電材からなるコンタクト片であり、矢印Ａの方向に上下の溝２０に嵌合してプラグ接続孔１３へ挿入されている。…（中略）…またコンタクト片３０の後端側に形成した係止突片３２が溝２０の壁に食い込むことにより、コンタクト片３０の抜止固定が行われる。…（中略）…また、導電材からなり、かつ凹部１６の底面１７に沿って湾曲したアース片４０が矢印Ａの方向に取付部１１の挿入孔１９からそれぞれの凹部１６に挿入されている。この状態では、アース片４０の先端に設けられた係止突片４１が凹部１６の係止孔１８に嵌合して係止されるとともに、…（中略）…アース片４０の位置決めと固定が行われる。」（公報第２頁左下欄第１６行〜右下欄第１７行目）
（ニ）図面の第１図及び第３図には、絶縁材としての合成樹脂から一体的に形成されたボディ１０につき、その前方に突出する横断面円形の接続部１２が、矩形の取付部１１と比較して、相対的に小さな外形寸法を有する形態とされていることが図示されている。
　
（４）刊行物４：特開平２−３００７６号公報（異議申立の甲第４号証である。）
　また、当審が通知した取消理由に引用した刊行物４には、次の事項が記載されている。
（イ）「（産業上の利用分野）　この発明は、…（中略）…表面取付が行われる電気コネクタのための金属シールドに関する。」（公報第２頁右下欄第２〜８行目）
（ロ）「前記プラグ部分１６は、軸方向のキー通路６１を有し、このキー通路６１は、前記ソケット１８にある補完的なキー６５を摺動可能に受容するものである。」（公報第５頁左下欄第７〜１０行目及び補１〜２の補正の内容（８）、（９）参照）
（ハ）図面のＦｉｇ．１及びＦｉｇ．１Ａには、ソケット１８側の凸条のキー６５に対応させて、プラグ部分１６に、その外周面及び前面に開口した凹状に形成したキー通路６１を設けた態様が示されている。
　
（５）刊行物５：実願平４−４９４８２号（実開平６−５１６１号）のＣＤ−ＲＯＭ
　また、当審が通知した取消理由に引用した刊行物５には、次の事項が記載されている（注：下線は当審が付記）。
（イ）「上記ターミナル３を、側面からみて第四絶縁カラーＣに複数個円弧状に配設した請求項１記載の多極プラグ」（実用新案登録請求の範囲の請求項２参照）
（ロ）「本考案は主として音響機器等の弱電関係で使用する多極プラグに関する。…（中略）…　上記した
従来技術にあっては４極プラグであり
現実には８極プラグにまで
（ハ）「１は多極プラグ体で、主としてプラグ本体２に、金属製のターミナル３を圧入した処の第四絶縁カラーＣを圧入固着して構成してある。前記したプラグ本体２は、導体としてのチツプ４と第一リング５との間に位置付けした第一絶縁カラー６と、該第一リング５と第二リング７との間に位置付けした第二絶縁カラー８と、該第二リング７とスリーブ９との間に位置付けした第三絶縁カラー１０とから構成してあり、前記第一絶縁カラー６、第二絶縁カラー８、第三絶縁カラー１０を同一の合成樹脂により注入固化してある。…（中略）…１３はターミナル３を圧入嵌合するための第四絶縁カラーＣに設けたスリット溝孔で
本実施例では２個設けてあるが４個、６個と設けてもよい
（ニ）図３〜図４には、プラグ本体２に圧入固着された円筒状の第四絶縁カラーＣに設けたスリット溝孔に圧入嵌合された２個のターミナル３が、同一円周上に対向するように配置された態様が示されている。
　
６．対比・判断
（１）本件発明１の特許について
（イ）対比
　本件発明１と引用発明１とを対比すると、後者の「６極単頭プラグを挿入するため」の「スリーブ１からその後部まで貫通するプラグ挿入穴」が前者の「接触部を絶縁部を挟んで軸方向に並列して配置した形でピン状に形成された前記相手側内周コンタクトが挿入される貫通孔」に相当することが明らかであるから、その機能ないし構造から見て、後者の「６極ジャック」は前者の「多極コネクター」に、後者の「それらの各接点をプラグ挿入穴に向けて配置されたチップバネ５、リングバネ４、第１のスリーブバネ２及び第２のスリーブバネ３と、夫々の接点を外向きにしてその外側に配置した第１の接触バネ６、第２の接触バネ７」は前者の「導体材料からなり相手側内周コンタクト又は相手側外周コンタクトに接触するそれぞれ複数の内周コンタクト及び外周コンタクトと、絶縁材料からなり前記内周コンタクト及び前記外周コンタクト」に、後者の「第１及び第２の接触バネ６、７の各接点１４、１７を有する部分は扁平に形成され」は前者の「複数の前記外周コンタクトの前記
各
ハウジング
　また、後者の「ハウジング」が基本的に絶縁材料で形成されることも明らかであるから、後者の「チップバネ５、リングバネ４、第１のスリーブバネ２及び第２のスリーブバネ３と」「第１の接触バネ６、第２の接触バネ７」とを有し、「６極単頭プラグを挿入するために筒型形状に形成され、その前部に設けられたスリーブ１からその後部まで貫通するプラグ挿入穴を有する」「ハウジング」は前者の「絶縁材料からなり前記内周コンタクト及び前記外周コンタクトを固定」するとともに、「全体が筒状に成形されてその略中心に、接触部を絶縁部を挟んで軸方向に並列して配置した形でピン状に形成された前記相手側内周コンタクトが挿入される貫通孔を有する」「ハウジング」に相当するといえるので、後者の「その外周面が略円形の断面形状」であってハウジングの「前部に設けられたスリーブ１」は前者のハウジングの「先端側」の「外周面が略円形の断面形状の先方突出部」に、後者のハウジングの「スリーブ１より後方の部分」であって「略直方体状に構成され」た部分は前者のハウジングの「基端側」の「外方張出部」に、それぞれ相当するといえる。
　そうとすると、後者の「第１及び第２接触バネ６、７のハウジングへの固定位置はハウジングの後方の部分であ」るとともに、「その各接点１４、１７がスリーブ１の外周上に配置される」点は前者の「外方張出部には、複数の外周コンタクト固定部が」「設けられ」るとともに、「複数の前記外周コンタクトが」「それぞれ」「接触部を前記外方張出部から先方へ突出させた形で備えられ」、「先方突出部の外周側に」「配置され」る又は「外周コンタクトは前記
先方突出部
してなる
　以上のことから、本件発明１と引用発明１とは、
「導体材料からなり相手側内周コンタクト又は相手側外周コンタクトに接触するそれぞれ複数の内周コンタクト及び外周コンタクトと、絶縁材料からなり前記内周コンタクト及び前記外周コンタクトを固定したハウジングとを備え、前記ハウジング
は全体が筒状に成形されてその略中心に、接触部を絶縁部を挟んで軸方向に並列して配置した形でピン状に形成された前記相手側内周コンタクトが挿入される貫通孔を有するとともに先端側の外周面が略円形の断面形状の先方突出部と基端側の外方張出部とを有し
ハウジング
先方突出部
してなる
　前記外方張出部には、複数の外周コンタクト固定部が設けられ、複数の前記外周コンタクトが、それぞれ前記接触部を前記外方張出部から先方へ突出させた形で備えられ、複数の前記外周コンタクトの前記
各
該
た
　
相違点Ａ：
　ハウジングの形態につき、本件発明１が「先端側の比較的小さな外形寸法で外周面が略円形の断面形状の先方突出部と基端側の比較的大きな外形寸法の外方張出部とが一体成形され」たものであるのに対して、引用発明１がそのようなハウジングの形態を備えていない点。
相違点Ｂ：
　複数の内周コンタクト及び外周コンタクトの固定態様につき、本件発明１が「外方張出部には、複数の外周コンタクト固定部が先方へ開口した孔状又は溝状に設けられ」、当該固定部に外周コンタクトが嵌入されるという固定態様を採用しているとともに、その固定部に内周コンタクトが嵌入されるという固定態様を採用しているのに対して、引用発明１がそのような固定態様を備えているかが明らかでない点。
相違点Ｃ：
　複数の外周コンタクトの各接触部の配置態様につき、本件発明１が「先方突出部の外周面よりも稍外方に突出するとともに、該先方突出部の外周側に相互に周方向へ並列して配置」するという配置態様を採用しているのに対して、引用発明１がその接触部を前記外方張出部から先方へ突出させて、
該
相違点Ｄ：
　極性ガイド部の構成につき、本件発明１は、「先方突出部の前端外周に極性ガイド部を外周面及び前面に開口した凹状に設け」ているのに対して、引用発明１は、このような極性ガイド部を備えていない点。
　
（ロ）各相違点の検討
（相違点Ａについて）
　ところで、上記刊行物２、３にも示されるように、弱電機器に用いるピンジャックのハウジングの形態を、先端側の比較的小さな外形寸法の先方突出部と基端側の比較的大きな外形寸法の外方張出部を備えた形態とすることは、従来より周知の手段であったといえる。
　そして、上記刊行物３（上記５．の（３）の（ニ）参照）に、前方に突出する横断面円形の接続部１２と矩形の取付部１１とを、絶縁材としての合成樹脂から一体的に形成されたボディ１０とすることが例示されているように、多極コネクターのハウジングにおける先方突出部と基端部とを合成樹脂により一体成形することも、従来より周知の手段であったといえる。
　してみると、本件発明１の相違点Ａに係る構成は、引用発明１におけるハウジングの形態として、上記従来より周知の手段を選択することにより当業者が適宜採用し得た設計的事項であるといえる。
　
（相違点Ｂについて）
　同様に、上記刊行物３（上記５．の（３）の（ハ）参照）にも示されるように、弱電機器に用いるピンジャックのコンタクトの固定態様として、そのコンタクト固定部を先方側に開口した孔状等のもので構成することは、従来より周知の手段であったといえる。
　してみると、本件発明１の相違点Ｂに係る構成は、引用発明１における複数の内周コンタクト及び外周コンタクトの固定態様として、上記従来より周知の手段を選択することにより当業者が適宜採用し得た設計的事項であるといえる。
（ちなみに、刊行物１に記載されたものにおいても、第１の接触バネ６、第２の接触バネ７のハウジングへの固定には、ハウジングの前方側に開口した孔又は溝状の固定態様が採用されているものと推測される。） 
　
（相違点Ｃについて）
　ところで、引用発明１における複数の外周コンタクトの各接触部の配置態様について、当該外周コンタクトの各接触部が相手側コンタクトと確実に電気的接触し得ることを考慮すれば、当該各接触部が配置されるところの外周面よりも稍外方に突出する程度に位置づけられるのが望ましいことは、当業者にとって自明な事項であるといえる。
　また、刊行物１には、引用発明１の６極ジャックにおける挿入穴に挿入される「６極単頭プラグ」の構成が、図面の図１７に例示されている。
　そして、上記刊行物５には、多極プラグの構造につき、引用発明１における「６極単頭プラグ」として上記図１７に例示されたのとほぼ同様の構成を備えるとともに、引用発明１における「複数の外周コンタクト」（第１の接触バネ６、第２の接触バネ７）の「相手側外周コンタクト」（同上図１７に例示された異なる直径を有する接点リング２９、３０）に対応するコンタクトである２個のターミナル３を、同一円周上に対向するように配置する、すなわち、相互に周方向へ並列して配置するという配置態様を採用したものが開示されている。
　してみると、本件発明１の相違点Ｃに係る構成は、引用発明１における複数の外周コンタクトの配置構成に代えて、刊行物５に開示されたプラグ側の接点構成によって示唆されたところのジャック側の外周コンタクトの配置構成を採用することにより、当業者が容易に想到し得た設計上の変更であるといわざるを得ないし、また、当該設計上の変更をする際に、その外周コンタクトの各接触部をそれが配置されるところの外周面よりも稍外方に突出する程度に位置づけることは当業者が当然配慮して採用する設計的事項である。
　なお、平成１５年１０月２７日付け特許異議意見書（同意見書の第４頁の６．（６）、（７）項参照）において、特許権者は、刊行物５に示された単頭プラグは相手方のジャックに対してプラグがその中心軸を中心にして回転する構造のものであるから、２個のターミナル３に対応してジャック側に設けられる接触子は分割されていても共通の１極を構成するものである旨を主張する。
　しかしながら、刊行物５に記載された発明は、その従来技術である「４極」構成のプラグに代えて「８極」構成までを可能とした多極プラグを提供することをその目的としたものといえるから（上記５．の（５）の（ロ）参照）、そこに例示された２個のターミナル３が１極であると解するのは上記目的とも整合せず、当該２個のターミナル３は２極を想定したものであって、当該２極を従来技術の４極構成に加えることにより６極構成のプラグを例示したものと理解するのが合理的であり、上記主張を採用することができない。
　
（相違点Ｄについて）
　多極コネクターにおける電気的接続時の挿入案内のために、凹状又は凸状の相互補完的ガイド部を設けることは、上記刊行物４（上記５．の（４）の（ロ）、（ハ）参照）にも示されるように、従来より周知の手段であったといえる。
　してみると、本件発明１の相違点Ｄに係る構成は、引用発明１に上記周知の手段を単に付加することにより当業者が適宜採用し得た設計的事項であるといえる。
　なお、同上特許異議意見書（同意見書の第４〜５頁の６．（８）項参照）において、特許権者は、刊行物４は「コネクタピンが平行に多数突設した多ピン型コネクターに関するもの」であり、「各ピンが所定の相手方コンタクトに接触するように整合させる必要上、プラグとジャック相互間の回転を不能にしているものであ」るから、従来は回転することが通常の構造であった単頭プラグジャックに極性ガイド部を設けることは容易に想到できるものではない旨を主張する。
　しかしながら、上記相違点Ｃで説示したところの設計上の変更をした場合、同一円周上に配置されることとなった複数の外周コンタクトの各接触部が、それぞれ相手側コンタクトと確実に電気的接触し得ることを考慮すれば、当該各接触部がそれぞれの対応する接触部に整合させて位置づけられるのが望ましいことは当業者にとって自明な事項であるといえるから、上記設計上の変更に際して、上記周知の手段を併せて付加することに格別の困難性があったものということはできない。
　
　以上のことから、本件発明１は、引用発明１及び刊行物２〜５に記載された発明ないし周知技術に基づいて当業者が容易に発明できたものといえる。
　
（２）本件発明２の特許について
（イ）対比
　本件発明２は本件発明１を引用する発明であるから、本件発明２と引用発明１とを対比すると、上記６．（１）（イ）で説示したところの一致点で一致し、上記相違点Ａ〜Ｄに加えて、次の相違点Ｅの点で、さらに相違する。
　
相違点Ｅ：内周コンタクトと外周コンタクトの伝達信号に関して、本件発明２は、「内周コンタクトは、標準仕様機器に使用される標準信号を伝達し、外周コンタクトは、特別仕様機器に使用される特別信号を伝達する」と特定されているのに対して、引用発明１はこのような特定がされていない点。
　
（ロ）各相違点の検討
　相違点Ａ〜Ｄについては、上記６．（１）（ロ）で説示したとおりである。
（相違点Ｅについて）
　刊行物２（上記５．（２）の（ロ）（ハ）参照）にも示されるように、弱電機器に用いるピンジャックの「内周コンタクト」の伝達する信号、「外周コンタクト」の伝達する信号を、それぞれ「標準信号」、「特別信号」と設定することは、従来より周知の設定態様であったといえる。
　してみると、本件発明２の相違点Ｅに係る構成は、引用発明１における複数の内周コンタクト及び外周コンタクトが伝達する信号の設定に、上記周知の設定態様を単に選択することにより当業者が適宜採用し得た設計的事項であるといえる。
　以上のことから、本件発明２は、引用発明１及び刊行物２〜５に記載された発明ないし周知技術に基づいて当業者が容易に発明できたものといえる。
　
７．むすび
　以上のとおり、本件発明１、２の特許は、特許法第２９条第２項の規定に違反してされたものであるから、同法第１１３条第２号に該当し、取り消されるべきものである。
　よって、結論のとおり決定する。
【異議決定日】
平成１６年５月１９日（２００４．５．１９）
【訂正の要旨】
審決（決定）の【理由】欄参照。
（５４）【発明の名称】
多極コネクター
（５７）【特許請求の範囲】
　【請求項１】
　【請求項１】
　導体材料からなり相手側内周コンタクト又は相手側外周コンタクトに接触するそれぞれ複数の内周コンタクト及び外周コンタクトと、絶縁材料からなり前記内周コンタクト及び前記外周コンタクトを固定したハウジングとを備え、前記ハウジング
は全体が筒状に成形されてその略中心に、接触部を絶縁部を挟んで軸方向に並列して配置した形でピン状に形成された前記相手側内周コンタクトが挿入される貫通孔を有するとともに先端側の比較的小さな外形寸法で外周面が略円形の断面形状の先方突出部と基端側の比較的大きな外形寸法の外方張出部とが一体成形され
ハウジング
先方突出部
してなる
　前記外方張出部には、複数の外周コンタクト固定部が先方へ開口した孔状又は溝状に設けられ、複数の前記外周コンタクトが、それぞれ前記外周コンタクト固定部に嵌入されて前記接触部を前記外方張出部から先方へ突出させた形で備えられ、複数の前記外周コンタクトの前記
各
前記先方突出部の外周面よりも梢外方に突出するとともに、該
前記先方突出部の前端外周に極性ガイド部を外周面及び前面に開口した凹状に設け
　【請求項２】
　
内周コンタクトは、標準仕様機器に使用される標準信号を伝達し、外周コンタクトは、特別仕様機器に使用される特別信号を伝達する
【発明の詳細な説明】
　【０００１】
　【発明の属する技術分野】
　本発明は、先端側に筒状部分が成形されたハウジングと、筒状部分の内周側に配置される接触部を有する内周コンタクトと、筒状部分の外周側に配置される接触部を有する外周コンタクトとを備えたリモコン付ヘッドホン用ジャック等の多極コネクターに関する。
　【０００２】
　【従来の技術】
　携帯型音響機器のリモコン付ヘッドホン用ジャックは、特開昭６４−６３２８３号公報等に開示されているように、筒状のハウジングと、ハウジングの内周面に配置される接触部を有する内周コンタクトと、ハウジングの外周面に配置される接触部を有する外周コンタクトとを備えており、内周コンタクトを介して音声信号を機器本体からヘッドホン（イヤホンを含む）へ伝達し、外周コンタクトを介してリモコンから機器本体へ制御信号を伝達するようになっている。
　【０００３】
　【発明が解決しようとする課題】
　上述のリモコン付ヘッドホン用ジャックは、リモコン無ヘッドホンも使用可能とするため、内周コンタクトの配置、固定等の構造を、リモコン無ヘッドホン用ジャックと共通にし、外周コンタクトを、筒状（口金状）に形成して、ハウジングの先端部分に嵌合して固定するようにし、付加的に、外周コンタクトを備えている。しかし、このような構造では、小型のジャックには１個の外周コンタクトしか備えることができず、伝達可能な制御信号が制限されるため、携帯型音響機器の多機能化に対応することができない等の問題があった。
　【０００４】
　本発明は、このような従来の問題に鑑み、内周コンタクトに加えて、複数の外周コンタクトが備えられ、かつ、ハウジングが最小化された多極コネクターの提供を目的としたものである。
　【０００５】
　【課題を解決するための手段】
　上述のごとき従来の問題を解決し、所期の目的を達成する本願発明の特徴は、導体材料からなり相手側内周コンタクト又は相手側外周コンタクトに接触するそれぞれ複数の内周コンタクト及び外周コンタクトと、絶縁材料からなり前記内周コンタクト及び前記外周コンタクトを固定したハウジングとを備え、前記ハウジング
は全体が筒状に成形されてその略中心に、接触部を絶縁部を挟んで軸方向に並列して配置した形でピン状に形成された前記相手側内周コンタクトが挿入される貫通孔を有するとともに先端側の比較的小さな外形寸法で外周面が略円形の断面形状の先方突出部と基端側の比較的大きな外形寸法の外方張出部とが一体成形され
ハウジング
先方突出部
してなる
各
前記先方突出部の外周面よりも梢外方に突出するとともに、該
前記先方突出部の前端外周に極性ガイド部を外周面及び前面に開口した凹状に設け
　【０００６】
　な
お、内
　【０００７】
　【発明の実施の形態】
　次に本発明の実施の形態を図面について説明する。図１〜９は本発明に係る多極コネクターの実施の形態であって、リモコン付ヘッドホン用ジャックを示しており、図において、１０は合成樹脂等の絶縁材料からなるハウジング、３０Ａ、３０Ｂ、３０Ｃ、３０Ｄは銅合金等の導体材料からなる内周コンタクト、４０Ａ、４０Ｂ、４０Ｃは銅合金等の導体材料からなる外周コンタクトである。
　【０００８】
　ハウジング１０は、図２に示すように、略中心に貫通孔１９を有し、前端（先端）から後端（基端）まで全体が筒状になっており、前端側の比較的小さな外径（外形寸法）の先方突出部１１と、後端側の比較的大きな横幅（外形寸法）の外方張出部１２とが一体成形されている。また、貫通孔１９の内径（先方突出部１１及び外方張出部１２の内形寸法）は前端から後端まで略一様で、先方突出部１１は比較的肉薄に、外方張出部１２は比較的肉厚に形成されている。なお、貫通孔１９の内周面（先方突出部１１及び外方張出部１２の内周面）は略円形の断面形状に、先方突出部１１の外周面は略円形の断面形状に、外方張出部１２の外周面は略長方形の断面形状に形成されている。
　【０００９】
　そして、外方張出部１２の肉厚内には、内周両側面より稍外側方の配置に、貫通孔１９の軸方向（前後方向）と略平行で縦向偏平な溝状の内周コンタクト固定部１３Ａ、１３Ｄが、内周両側面及び後面の方へ開口して設けられ、内周下面より稍下方の配置に、軸方向と略平行で横向偏平な溝状の内周コンタクト固定部１３Ｂが、内周下面及び後面の方へ開口して設けられており、外周両側面より稍内側方の配置に、軸方向と略平行で縦向偏平な溝状（凹状）の内周コンタクト固定部１３Ｃ、１３Ｃが、外周上面及び外周両側面の方へ開口して設けられている。
　【００１０】
　また、外方張出部１２の肉厚内には、先方突出部１１の外周両側面に対して稍外方の配置に、軸方向と略平行で縦向偏平な溝状の外周コンタクト固定部１４Ａ、１４Ｃが、外周上面及び前面の方へ開口して設けられており、先方突出部１１の外周下面に対して稍下方の配置に、軸方向と略平行で縦向偏平な溝状の外周コンタクト固定部１４Ｂが、前面の方へ開口して設けられている。
　【００１１】
　そして、縦向偏平な溝状の内周コンタクト固定部１３Ａと外周コンタクト固定部１４Ａと内周コンタクト固定部１３Ｃ、内周コンタクト固定部１３Ｄと外周コンタクト固定部１４Ｃと内周コンタクト固定部１３Ｃとは、内周側から外周側へ相互に横方向（径方向）へ並列して配置されており、横向偏平な溝状の内周コンタクト固定部１３Ｂと外周コンタクト固定部１４Ｂとは、内周側から外周側へ相互に縦方向（径方向）へ並列して配置されている。従って、ハウジング１０の外形寸法を最小にした形で、内周コンタクト固定部１３Ａ、１３Ｂ、１３Ｃ、１３Ｄ、外周コンタクト固定部１４Ａ、１４Ｂ、１４Ｃの大きさを、内周コンタクト３０Ａ、３０Ｂ、３０Ｃ、３０Ｄ、外周コンタクト４０Ａ、４０Ｂ、４０Ｃを固定するのに十分なだけ確保することができる。
　【００１２】
　また、外方張出部１２の肉厚内には、縦向溝状又は縦向孔状の端子突出部１５Ａ、１５Ｂ、１５Ｃ、１５Ｃ、１５Ｄ、１６Ａ、１６Ｂ、１６Ｃが、外周下面の方へ開口して設けられており、それぞれ、上方の内周コンタクト固定部１３Ａ、１３Ｂ、１３Ｃ、１３Ｃ、１３Ｄ、外周コンタクト固定部１４Ａ、１４Ｂ、１４Ｃに連続している。また、外方張出部１２には、接触子挿入部１７が、外周上面及び内周上面の方へ開口した貫通孔状に設けられている。また、先方突出部１１の前端外周上部には、極性ガイド部１８が、外周上面及び前面に開口した凹状に設けられている。
　【００１３】
　内周コンタクト３０Ａ、３０Ｄには、それぞれ、図３、図６に示すように、縦向偏平な板状の被固定部３３Ａ、３３Ｄと、縦向偏平な板バネ状の接触部３５Ａ、３５Ｄと、縦向偏平な板状の端子部３７Ａ、３７Ｄとが一体成形されている。そして、内周コンタクト３０Ａの接触部３５Ａは、被固定部３３Ａの前部中央から後方かつ内側方へ斜めに突出し、内周コンタクト３０Ｄの接触部３５Ｄは、被固定部３３Ｄの前端から前方かつ内側方へ斜めに突出しており、両者の端子部３７Ａ、３７Ｄは、被固定部３３Ａ、３３Ｄの後部下端から下方へ突出している。
　【００１４】
　また、内周コンタクト３０Ｂには、図４に示すように、横向偏平な板状の被固定部３３Ｂと、横向偏平な板バネ状の接触部３５Ｂと、縦向偏平な板状の端子部３７Ｂとが一体成形されており、被固定部３３Ｂの前端から接触部３５Ｂが前方かつ上方へ斜めに突出し、被固定部３３Ｂの後端から端子部３７Ｂが下方へ突出している。
　【００１５】
　また、内周コンタクト３０Ｃには、図５に示すように、横向偏平な板状の基部３１Ｃ、縦向偏平な板状の被固定部３３Ｃ、３３Ｃと、横向偏平な板バネ状の接触部３５Ｃと、縦向偏平な板状の端子部３７Ｃ、３７Ｃとが一体成形されており、基部３１Ｃの両側端から被固定部３３Ｃ、３３Ｃが下方へ突出し、基部３１Ｃの前端から接触部３５Ｃが前方かつ下方へ斜めに突出し、被固定部３３Ｃ、３３Ｃの下端から端子部３７Ｃ、３７Ｃが下方へ突出している。
　【００１６】
　そして、内周コンタクト３０Ａ、３０Ｂ、３０Ｄは、それぞれ、ハウジング１０の内周コンタクト固定部１３Ａ、１３Ｂ、１３Ｄに後方から嵌入され、図１に示すように、接触部３５Ａ、３５Ｂ、３５Ｄを貫通孔１９の内周面よりも内方へ突出させ、端子部３７Ａ、３７Ｂ、３７Ｄを外方突出部１２の外周下面から下方へ突出させ、被固定部３３Ａ、３３Ｂ、３３Ｄを内周コンタクト固定部１３Ａ、１３Ｂ、１３Ｄに嵌合させた形で、ハウジング１０に固定されている。
　【００１７】
　また、内周コンタクト３０Ｃは、ハウジング１０の内周コンタクト固定部１３Ｃ、１３Ｃに上方から嵌入され、基部３１を外方突出部１２の外周上面に被せ、接触部３５Ｃを接触子突出部１７から挿入して貫通孔１９の内周面よりも内方へ突出させ、端子部３７Ｃ、３７Ｃを外方張出部１２の外周下面から下方へ突出させ、被固定部３３Ｃ、３３Ｃを内周コンタクト固定部１３Ｃ、１３Ｃに嵌合させた形で、ハウジング１０に固定されている。なお、内周コンタクト３０Ｃは、外周コンタクト４０Ａ、４０Ｃ（後述）をハウジング１０に装着した後に、ハウジング１０に装着される。
　【００１８】
　外周コンタクト４０Ａ、４０Ｂ、４０Ｃには、それぞれ、図７、図８、図９に示すように、板状の被固定部４３と、板バネ状の接触部４５と、板状の端子部４７とが一体成形されている。そして、外周コンタクト４０Ａ、４０Ｃの被固定部４３Ａ、４３Ｃ、接触部４５Ａ、４５Ｃ、端子部４７Ａ、４７Ｃは縦向偏平に形成されており、被固定部４３Ａ、４３Ｃの前端から接触部４５Ａ、４５Ｃが前方かつ稍外側方へ突出し、被固定部４３Ａ、４３Ｃの下端から端子部４７Ａ、４７Ｃが下方へ突出している。また、外周コンタクト４０Ｂの被固定部４３Ｂ、接触部４５Ｂは横向偏平に、端子部４７Ｂは縦向偏平に形成されおり、被固定部４３Ｂの前端から接触部４５Ｂが前方かつ稍下方へ突出し、被固定部４３Ｂの後部から端子部４７Ｂが下方へ突出している。
　【００１９】
　そして、外周コンタクト４０Ａ、４０Ｃは、それぞれ、ハウジング１０の外周コンタクト固定部１４Ａ、１４Ｃに上方から嵌入され、図１に示すように、接触部４５Ａ、４５Ｃを外方張出部１２の前面から前方へ突出させ、端子部４７Ａ、４７Ｃを外方張出部１２の外周下面から下方へ突出させ、被固定部４３Ａ、４３Ｃを外周コンタクト固定部１４Ａ、１４Ｃに嵌合させた形で、ハウジング１０に固定されている。また、外周コンタクト４０Ｂは、ハウジング１０の外周コンタクト固定部１４Ｂに前方から嵌入され、接触部４５Ｂを外方張出部１２の前面から前方へ突出させ、端子部４７Ｂを外方張出部１２の外周下面から下方へ突出させ、被固定部４３Ｂを外周コンタクト固定部１４Ｂに嵌合させた形で、ハウジング１０に固定されている。
　【００２０】
　そして、これらの外周コンタクト４０Ａ、４０Ｂ、４０Ｃの接触部４５Ａ、４５Ｂ、４５Ｃは、先方突出部１１の外周面よりも稍外方へ突出して、先方突出部１１の外周両側面、外周下面に、相互に周方向へ並列して配置されている。従って、先方突出部１１の突出長さ、外径を最小にした形で、先方突出部１１の外周面に、複数の接触部４５Ａ、４５Ｂ、４５Ｃを好適に備えることができる。
　【００２１】
　図１０は相手側コネクターの一例であって、リモコン付ヘッドホン用プラグを示しており、図において、１１０は相手側ハウジング、１３０は相手側内周コンタクト、１４０Ａ、１４０Ｂ、１４０Ｃは相手側外周コンタクトである。
　【００２２】
　相手側ハウジング１１０には、円筒状の先方突出部１１１が設けられており、先方突出部１１１の内周上面には、極性ガイド部１１８が、内方へ突出した凸状に設けられている。そして、相手側外周コンタクト１４０Ａ、１４０Ｂ、１４０Ｃが、板バネ状の接触部１４５Ａ、１４５Ｂ、１４５Ｃを、先方突出部１１１の内周両側面、内周下面に、相互に周方向へ並列して配置した形で、相手側ハウジング１１０に固定されている。また、相手側内周コンタクト１３０は、接触部１３５Ａ、１３５Ｂ、１３５Ｃ、１３５Ｄを絶縁部１３６、１３６、１３６を挾んで軸方向へ並列して配置した形で、ピン状に形成されており、先方突出部１１１よりも前方へ突出した形で、相手側ハウジング１１０の中央部分に固定されている。
　【００２３】
　このように構成されるリモコン付ヘッドホン用ジャックは携帯型音響機器の機器本体等に装備され、リモコン付ヘッドホン用プラグはリモコン付ヘッドホン（イヤホンを含む）等に装備される。
　【００２４】
　そして、両者は、ハウジング１０と相手側ハウジング１１０の極性ガイド部１８、１１８を整合させて、相手側内周コンタクト１３０をハウジング１０の貫通孔１９に挿入し、相手側ハウジング１１０の先方突出部１１１をハウジング１０の先方突出部１１に被せるようにして接続される。すると、相手側内周コンタクト１３０の接触部１３５Ａ、１３５Ｂ、１３５Ｃ、１３５Ｄが、それぞれ、内周コンタクト３０Ａ、３０Ｂ、３０Ｃ、３０Ｄの接触部３５Ａ、３５Ｂ、３５Ｃ、３５Ｄに接触し、相手側外周コンタクト１４０Ａ、１４０Ｂ、１４０Ｃの接触部１４５Ａ、１４５Ｂ、１４５Ｃが、それぞれ、外周コンタクト４０Ａ、４０Ｂ、Ｃの接触部４５Ａ、４５Ｂ、４５Ｃに接触する。
　【００２５】
　そして、内周コンタクト３０Ａ、３０Ｂ、３０Ｃ、３０Ｄ、相手側内周コンタクト１３０を介して機器本体からヘッドホンへ音声信号が伝達され、外周コンタクト４０Ａ、４０Ｂ、４０Ｃ、相手側外周コンタクト１４０Ａ、１４０Ｂ、１４０Ｃを介してリモコンから本体機器へ制御信号が伝達される。従って、リモコンから機器本体へ多種類の制御信号を好適に伝達することができ、携帯型音響機器等の多機能化に好適に対応することができる。また、リモコン付ヘッドホン用ジャックに、リモコン無ヘッドホン用プラグを接続することもできる。
　【００２６】
　なお、上述の実施の形態では、外周コンタクト固定部を縦向偏平、横向偏平な溝状に形成して、先方突出部に対して両側方と下方の配置に外周コンタクト固定部を設けた場合について述べたが、外周コンタクト固定部を例えば孔状に形成して、更に多数の外周コンタクト固定部を設けてもよい。また、上述の実施の形態では、リモコン付ヘッドホン用ジャックに適用した場合について述べたが、その他のコネクターにも適用することができ、携帯型電気機器等のコネクターに好適である。
　【００２７】
　【発明の効果】
　上述のように、本発明に係る多極コネクターは、ハウジングに、先端側の比較的小さな外形寸法の先方突出部と基端側の比較的大きな外径寸法の外周張出部とを成形し、外周張出部に、複数の外周コンタクト固定部を先端側へ開口した孔状又は溝状に設け、複数の外周コンタクトを、それぞれ外周コンタクト固定部に嵌入して接触部を外方張出部から先方へ突出させた形で備え、複数の外周コンタクトの接触部を偏平に形成し、先方突出部の外周側に、相互に周方向へ並列して配置したことによって、ハウジングの外形寸法を最小にした形で複数の外周コンタクトを好適に備えることができ、携帯型電気機器等の多機能化に好適に対応することができる。
　【００２８】
　また、外周コンタクトが嵌入される外周コンタクト及び内周コンタクトが嵌入される内周コンタクト固定部を、相互に径方向へ並列して配置することによって、外周コンタクト固定部、内周コンタクト固定部の大きさを十分に確保し、コンタクトを好適に固定することができる。
　【００２９】
　また、内周コンタクトを介して、音声信号等の標準仕様機器に使用される標準信号を伝達し、外周コンタクトを介して、制御信号等の特別仕様機器に使用される特別信号を伝達することによって、リモコン無ヘッドホン等の標準仕様機器とリモコン付ヘッドホン等の特別仕様機器とに兼用可能なリモコン付ヘッドホン用ジャック等を構成することができる。
【図面の簡単な説明】
　【図１】　本発明に係る多極コネクターの実施の形態（リモコン付ヘッドホン用ジャック）を示す正面図（ａ）、側面図（ｂ）である。
　【図２】　図１中のハウジングの平面図（ａ）、正面図（ｂ）、底面図（ｃ）、背面図（ｄ）である。
　【図３】　図１中の第１の内周コンタクトの平面図（ａ）、側面図（ｂ）、背面図（ｃ）である。
　【図４】　図１中の第２の内周コンタクトの平面図（ａ）、側面図（ｂ）、背面図（ｃ）である。
　【図５】　図１中の第３の内周コンタクトの平面図（ａ）、正面図（ｂ）、側面図（ｃ）である。
　【図６】　図１中の第４の内周コンタクトの平面図（ａ）、側面図（ｂ）、背面図（ｃ）である。
　【図７】　図１中の第１の外周コンタクトの平面図（ａ）、正面図（ｂ）、側面図（ｃ）である。
　【図８】　図１中の第２の外周コンタクトの平面図（ａ）、正面図（ｂ）、側面図（ｃ）である。
　【図９】　図１中の第３の外周コンタクトの平面図（ａ）、正面図（ｂ）、側面図（ｃ）である。
　【図１０】　相手側コネクター（リモコン付ヘッドホン用プラグ）を示す正面図（ａ）、側面図（ｂ）である。
　【符号の説明】
　１０　ハウジング
　１１　先方突出部
　１２　外方張出部
　１３　内周コンタクト固定部
　１４　外周コンタクト固定部
　１５、１６　端子突出部
　１７　接触子挿入部
　１８　極性ガイド部
　１９　貫通孔
　３０　内周コンタクト
　３１　基部
　３３　被固定部
　３５　接触部
　３７　端子部
　４０　外周コンタクト
　４３　被固定部
　４５　接触部
　４７　端子部
　１１０　相手側ハウジング
　１１１　先方突出部
　１１８　極性ガイド部
　１３０　相手側内周コンタクト
　１３５　接触部
　１３６　絶縁部
　１４０　相手側外周コンタクト
　１４５　接触部